(57)【要約】【課題】同一のショーケースにより、複数の販売方式、即ち、対面販売方式及び上面を開口した積極的な販売方式の両者を必要に応じて実施することができるショーケースを提供する。【解決手段】本体２内に上面に開口する（開口４）陳列室１３を備えたショーケース１において、下面が開口すると共に、内部が透視可能で少なくとも一側、例えば前面が前扉３２、３２により開閉自在とされたキャノピー２５を備え、陳列室１３の上面開口４を塞ぐかたちでキャノピー２５を本体２に着脱自在に取付可能とした。【選択図】      図３
2004173932.tif 000002
【特許請求の範囲】
【請求項１】
本体内に上面に開口する陳列室を備えたショーケースにおいて、
下面が開口すると共に、内部が透視可能で少なくとも一側が開閉自在とされたキャノピーを備え、
前記陳列室の上面開口を塞ぐかたちで前記キャノピーを前記本体に着脱自在に取付可能としたことを特徴とするショーケース。
【請求項２】
前記本体には前記陳列室内に冷気を吐出する冷気吐出口が形成されると共に、前記キャノピーには、前記冷気吐出口から吐出された冷気を前記陳列室上方のキャノピー内に案内する風向板を設けたことを特徴とする請求項１のショーケース。
【請求項３】
前記風向板を鏡面材にて構成したことを特徴とする請求項２のショーケース。
【請求項４】
前記風向板を透明板にて構成したことを特徴とする請求項２のショーケース。
【発明の詳細な説明】
【０００１】
【発明の属する技術分野】
本発明は、本体内に上面に開口する陳列室を備えたショーケースに関するものである。
【０００２】
【従来の技術】
従来より、ショーケースの本体に上面に開口する陳列室を設け、当該陳列室を被うようにして斜め前下方へ傾斜した透明の前壁と、後壁と、左右側壁と、前壁と後壁とに渡る上壁とにより構成されるキャノピーを設けたショーケースがある。係るショーケースでは、キャノピーを構成する後壁に例えばスライド式の引き戸が設けられており、当該後壁から販売員が商品を取り出して商品の販売を行う対面販売方式を行うことができる。
【０００３】
また、係るキャノピーは前面に引き戸式の扉が形成されており、当該前面引き戸を開放することにより陳列室を開放することが可能な構成とされており、上記対面販売方式以外にも、顧客自らが商品を手にとって商品を選択したり、また混雑する時間帯において販売を円滑に行うようにするために顧客自らに商品を取り出してもらう、所謂、セルフ販売方式を行うことが可能とされている。
【０００４】
【発明が解決しようとする課題】
一方、当該ショーケースが設けられるスーパーマーケットなどにおいては、季節特有の商品など、特定の商品を、他の商品とは別に積極的な販売を行うことがある。かかる場合には、通常、上面開口が開放された所謂平型のショーケースが用いられ、顧客とショーケース内の商品との距離を短くし、より一層、顧客が商品を手に取りやすい環境に商品を陳列し、顧客の購買意欲を向上させている。
【０００５】
しかしながら、従来では、上述の如き上面開口が開放されたショーケースによる積極的な販売方式と、キャノピーが設けられたショーケースによる対面販売方式などは、それぞれ用途に応じたショーケースを用いなければならないと云う問題があった。
【０００６】
そのため、一方のショーケースしか設置できない場合においては、他方のショーケースを別途保管しなければ成らず、また、コストの面においても不利となる問題があった。
【０００７】
そこで、本発明は従来の技術的課題を解決するために成されたものであり、同一のショーケースにより、複数の販売方式を採用することができるショーケースを提供することを目的とする。
【０００８】
【課題を解決するための手段】
本発明のショーケースは、本体内に上面に開口する陳列室を備えたものであって、下面が開口すると共に、内部が透視可能で少なくとも一側が開閉自在とされたキャノピーを備え、陳列室の上面開口を塞ぐかたちでキャノピーを本体に着脱自在に取付可能としたことを特徴とする。
【０００９】
本発明によれば、本体内に上面に開口する陳列室を備えたショーケースにおいて、下面が開口すると共に、内部が透視可能で少なくとも一側が開閉自在とされたキャノピーを備え、陳列室の上面開口を塞ぐかたちでキャノピーを本体に着脱自在に取付可能としたので、対面販売を実施する場合には、キャノピーを本体に取り付け、上面を開口した状態で商品を陳列する積極的な販売を実施する場合には、キャノピーを取り外すことができるようになる。
【００１０】
これにより、それぞれの販売方式に応じたショーケースを種々設けることなく、一台のショーケースにおいて、複数の販売方式を実行することができるようになる。そのため、使用しないショーケースを別途保管しなければ成らない不都合を回避することができると共に、コストの面においても有利となる。
【００１１】
請求項２の発明のショーケースは、請求項１の発明において、本体には陳列室内に冷気を吐出する冷気吐出口が形成されると共に、キャノピーには、冷気吐出口から吐出された冷気を陳列室上方のキャノピー内に案内する風向板を設けたことを特徴とする。
【００１２】
請求項２の発明によれば、請求項１の発明において、本体には陳列室内に冷気を吐出する冷気吐出口が形成されると共に、キャノピーには、冷気吐出口から吐出された冷気を陳列室上方のキャノピー内に案内する風向板を設けたので、本体にキャノピーを取り付けた状態で、陳列効果を向上されるキャノピー上部の商品をも効率的に冷却することができるようになる。これにより、より一層、利便性が向上される。
【００１３】
請求項３の発明のショーケースは、請求項２の発明において、風向板を鏡面材にて構成したことを特徴とする。
【００１４】
請求項３の発明によれば、請求項２の発明において、風向板を鏡面材にて構成したので、陳列室内の奥行きを形成することができるようになり、商品の陳列効果を向上させることができ、延いては顧客の購買意欲を増進させることができるようになる。
【００１５】
請求項４の発明のショーケースは、請求項２の発明において、風向板を透明板にて構成したことを特徴とする。
【００１６】
請求項４の発明によれば、請求項２の発明において、風向板を透明板にて構成したので、陳列室内の照明装置による展示効果を向上させることができるようになる。
【００１７】
【発明の実施の形態】
次に、図１及び図２を参照して本発明のショーケース１の基本構成について説明する。図１は冷蔵ショーケース１の斜視図、図２は図１の冷蔵ショーケース１の縦断側面図を示している。
【００１８】
ショーケースであるオープン冷蔵ショーケース１の本体２は、発泡合成樹脂、例えば硬質の発泡ポリウレタンなどから成る断面略コ字状の断熱壁３と、この断熱壁３の両側に取り付けられた側板６、６とから構成されており、この断熱壁３は、上面に開口し、商品収納及び取出用開口４が形成されている。
【００１９】
ここで、断熱壁３は、前壁よりも後壁が高くなるように構成されており、当該断熱壁３の前壁上面には、左右に渡って延在して形成される保持板としての透明壁７が設けられており。また、断熱壁３の後壁上面には、左右に渡って延在して形成される保持板８が設けられている。更に、側板６、６の上面には、透明壁７及び保持板８の上面寸法に応じて前方から後方に渡って徐々に高く形成された左右透明壁９、９が設けられている。
【００２０】
断熱壁３の内部には、断熱壁３の背壁とは間隔を存して、塗装鋼板やステンレスなどの錆びない金属板から成る背面板１０が取り付けられると共に、断熱壁３の底壁３Ａの上方には、底壁３Ａと所定間隔を存してデッキパン１１が取り付けられる。この背面板１０とデッキパン１１と断熱壁３間をダクト１２とし、これら背面板１０及びデッキパン１１の内側を陳列室１３としている。尚、背面板１０には、上下左右に渡って複数の通気孔１０Ａが形成されているものとする。断熱壁３の底壁３Ａとデッキパン１１との間には、前記ダクト１２に連通される冷却室１４が形成されている。
【００２１】
断熱壁３の底壁３Ａ上にはファンケース１５が設置されており、このファンケース１５には図示しない送風機が取り付けられている。冷却室１４内には、冷却装置を構成する冷却器１６が設置されており。前記送風機が運転されると冷却器１６と熱交換した冷気はダクト１２内を上昇せられ、背面板１０の上端と断熱壁３との間に形成された冷気吐出口１７より陳列室１３内に吐出される。そして、デッキパン１１の前端と断熱壁３の底壁３Ａとの間の冷気吸込部材２３に形成された冷気吸込口１８から吸い込まれた冷気は再び前記送風機によって加速され、陳列室１３内に冷気が循環されて陳列室１３内は所定の温度に冷却される。
【００２２】
また、断熱壁３の底壁３Ａの下方には、機械室２０が形成されており、この機械室２０内には、前記冷却器１６と所謂冷凍サイクルを形成する図示しない凝縮器及び圧縮機等が設けられている。また、この凝縮器の後方には、図示しない凝縮器用送風機が取り付けられており、機械室２０前面には、前面グリル２１が形成され、前面グリル２１より吸気され、後方より廃熱が外部に排出される。尚、図中において２２は、デックパン１１上に載置される商品陳列用の棚板である。
【００２３】
次に、図３乃至図５を参照して上記ショーケース１に取り付けられるキャノピー２５について説明する。図３は本体２とキャノピー２５とを分解した状態の冷蔵ショーケース１の斜視図、図４はキャノピー２５を取り付けた状態の冷蔵ショーケース１の斜視図、図５は図４の冷蔵ショーケース１の縦断側面図を示している。
【００２４】
キャノピー２５は、陳列室１３を本体２の上方から被う、下面に開口した陳列室カバーであり、斜め前下方へ傾斜した透明の前壁２６と、透明の後壁２７と、透明の左右側壁２８と、前壁２６と後壁２７とに渡って形成される上壁２９とにより構成されている。これら前壁２６、後壁２７、左右側壁２８及び上壁２９は、それぞれ当該キャノピー２５の骨組みを形成する枠部材３０により取り付けられている。キャノピー２５の下後端には左右に渡って水平に取り付けられた保持板３１が設けられており、当該保持板３１は、前記本体２の保持板８上面に略きっちり載置し、固定可能とされている。
【００２５】
また、前壁２６を保持する枠部材３０は、上下内縁部に図示しないレールが形成されており、当該レールには、前壁２６を構成する引き戸式の（本実施例では）２枚の前扉３２、３２が左右に摺動可能に設けられている。同じく後壁２７を保持する枠部材３０は、上下内縁部に図示しないレールが形成されており、当該レールには、後壁２７を構成する引き戸式の（本実施例では）２枚の後扉３３、３３が左右に摺動可能に設けられている。尚、図５において３４、３５がそれぞれ前扉３２及び後扉３３を左右に摺動させるための把手部材である。また、３６は、上壁２９下面に設けられた照明装置であり、３７は、本体２の保持板８前部下面に設けられた照明装置である。
【００２６】
また、枠部材３０は、前側両側部において、上壁２９前端から斜め前下方へ傾斜した保持部材４０、４０が形成されている。この保持部材４０、４０は、枠部材３０の下端よりも少許下方にまで延出して形成されていると共に、当該保持部材４０の下端には、前記冷気吸込部材２３に係止するために略クランク状に折曲形成された保持部４１が形成されている。
【００２７】
更にまた、キャノピー２５の前端に位置する枠部材３０には、図５に示す如く、前側に水平に少許突出した後、下方に略直角に折曲されて形成される補助保持部４２が形成されている。
【００２８】
以上の構成により、ショーケース１の本体２にキャノピー２５を取り付ける場合には、本体２の上方から陳列室１３の上面開口４を塞ぐかたちで、キャノピー２５を載置する。即ち、キャノピー２５を構成する保持板３１を本体２に取り付けられる保持板８に重合させ載置すると共に、キャノピー２５の保持部材４０の下端に形成された保持部４１を本体２に設けられた冷気吸込部材２８に係止される。また、このとき、キャノピー２５の枠部材３０に形成された補助保持部４２は、本体２に取り付けられた透明壁７の上端に係止される。
【００２９】
これにより、安定してキャノピー２５をショーケース１の本体２に取り付けることができるようになる。係る状態では、キャノピー２５を構成する前壁２６、後壁２７及び左右側壁２８は透明な材料により構成されているため、効果的に陳列室１３内の商品を顧客にアピールすることができるようになる。また、キャノピー２５の前壁２６、即ち前扉３２、３２を開閉することにより顧客は、陳列室１３内に陳列された商品を取り出すことができると共に、後壁２７、即ち後扉３３、３３を開閉することにより、販売員が陳列室１３内の対面販売を行うことができるようになる。
【００３０】
また、上述の如くキャノピー２５を取り付けた状態では、図５に示す如く断熱壁３の後部、即ち冷気吐出口１７と所定の間隔を存した位置に後方から前方に向けて高くなるように傾斜した風向板５０を設けてもよいものとする。係る実施例では、風向板５０は下端を棚板２２に係止させると共に、上端をキャノピー２５の枠部材３０に図示しないビスなどにより固定する。
【００３１】
これにより、冷気吐出口１７から吐出される冷気を効率的に陳列室１３上方のキャノピー２５内に案内することができ、効果的に陳列室１３及びキャノピー２５内を冷却することができるようになる。
【００３２】
尚、当該風向板５０には、冷気吐出口１７から吐出される冷気の一部を直接陳列室１３下部に吐出するための図示しない複数の冷気通風孔が形成されていてもよいものとする。これにより、効率的に陳列室１３内及びキャノピー２５内を冷却することができるようになる。
【００３３】
また、このとき、陳列室１３内に風向板５０の前側に位置して、棚板２２よりも一段高く形成し、陳列効果が向上される商品載置棚５１を設けた場合であっても、風向板５０により、効率的に商品載置棚５１上に陳列された商品に冷気を吐出することができ、当該商品を効果的に冷却することができるようになる。
【００３４】
尚、この風向板５０を鏡面材にて構成した場合には、陳列室１３内の奥行きを広げることができ、商品の陳列効果を向上させることができるようになり、延いては顧客の購買意欲を増進させることができるようになる。
【００３５】
また、これ以外に、当該風向板５０を透明板にて構成した場合には、陳列室１３内に設けられる前記照明装置３７により、透明板を介して効果的に陳列室１３内を照明することができ、展示効果を向上させることができるようになる。
【００３６】
尚、当該ショーケース１を季節特有の商品など、特定の商品を、他の商品とは別に積極的な販売を行うことに用いる場合には、前記キャノピー２５を少許持ち上げ、保持部４１及び補助保持部４２による係止を開放すると共に、キャノピー２５の保持板３１を本体２の保持板８上から取り去ることにより、キャノピー２５を取り外すことができ、容易に上面に開口した図１及び図２に示す如きショーケース１とすることができるようになる。これにより、顧客とショーケース１内の商品との距離をより短くし、より一層、顧客が商品を手に取りやすい環境に商品を陳列し、顧客の購買意欲を向上させることができるようになる。
【００３７】
上述の如き構成により、キャノピー２５は、格別なネジなどの取付部材を必要とすることなく本体２に容易に着脱自在とすることができるため、それぞれの販売方式に応じたショーケースを種々設けることなく、一台のショーケースにおいて、複数の販売方式、即ち、上面に開口した積極的販売を行う販売方式及び対面方式を実行することができるようになる。そのため、使用しないショーケースを別途補完しなければならない不都合を回避することができると共に、コスト面においても有利となる。
【００３８】
【発明の効果】
以上詳述した如く本発明によれば、本体内に上面に開口する陳列室を備えたショーケースにおいて、下面が開口すると共に、内部が透視可能で少なくとも一側が開閉自在とされたキャノピーを備え、陳列室の上面開口を塞ぐかたちでキャノピーを本体に着脱自在に取付可能としたので、対面販売を実施する場合には、キャノピーを本体に取り付け、上面を開口した状態で商品を陳列する積極的な販売を実施する場合には、キャノピーを取り外すことができるようになる。
【００３９】
これにより、それぞれの販売方式に応じたショーケースを種々設けることなく、一台のショーケースにおいて、複数の販売方式を実行することができるようになる。そのため、使用しないショーケースを別途保管しなければ成らない不都合を回避することができると共に、コストの面においても有利となる。
【００４０】
請求項２の発明によれば、請求項１の発明において、本体には陳列室内に冷気を吐出する冷気吐出口が形成されると共に、キャノピーには、冷気吐出口から吐出された冷気を陳列室上方のキャノピー内に案内する風向板を設けたので、本体にキャノピーを取り付けた状態で、陳列効果を向上されるキャノピー上部の商品をも効率的に冷却することができるようになる。これにより、より一層、利便性が向上される。
【００４１】
請求項３の発明によれば、請求項２の発明において、風向板を鏡面材にて構成したので、陳列室内の奥行きを形成することができるようになり、商品の陳列効果を向上させることができ、延いては顧客の購買意欲を増進させることができるようになる。
【００４２】
請求項４の発明によれば、請求項２の発明において、風向板を透明板にて構成したので、陳列室内の照明装置による展示効果を向上させることができるようになる。
【図面の簡単な説明】
【図１】本発明の実施形態に係るショーケースの斜視図である。
【図２】図１のショーケースの縦断側面図である。
【図３】本体とキャノピーとを分解した状態のショーケースの斜視図である。
【図４】キャノピーを取り付けた状態のショーケースの斜視図である。
【図５】図４のショーケースの縦断側面図である。
【符号の説明】
１  ショーケース
２  本体
３  断熱壁
４  開口
７  透明壁
８  保持板
１３  陳列室
１４  冷却室
１７  冷気吐出口
１８  冷気吸込口
２２  棚板
２３  冷気吸込部材
２５  キャノピー
２６  前壁
２７  後壁
２８  左右側壁
２９  上壁
３０  枠部材
３１  保持板
３２  前扉
３３  後扉
３６、３７  照明装置
４０  保持部材
４１  保持部
５０  風向板
５１  商品載置棚
【図１】
2004173932.tif 000003
【図２】
2004173932.tif 000004
【図３】
2004173932.tif 000005
【図４】
2004173932.tif 000006
【図５】
2004173932.tif 000007